(57)【特許請求の範囲】
【請求項１】
各種部品などを収容するように形成されたメインシャーシと、
前記メインシャーシ内に設置され、室内空気と熱交換する熱交換機と、
前記メインシャーシ内に設置され、室内空気を吸入及び吐き出す送風ファンと、
前記メインシャーシの前方に設置され、前記熱交換機に空気を流入させるために前面に形成された吸入口を含むフロントパネルと、
前記メインシャーシと前記フロントパネルとからなる外部ケースの底面に形成された吐き出し口と、
前記フロントパネルの前面に下部が着脱自在に連結されて支持され、該下部を基準として回動して前記吸入口を選択的に開閉するとともに、空調装置の運転状態を表示する表示部が設けられている吸入パネルと、
空調装置の運転中に前記吸入パネルを限定された範囲まで回動させ、また、前記吸入パネルを前記フロントパネルから取り外すときに、前記フロントパネルに吊り下がるように前記吸入パネルと前記フロントパネルとを連結する駆動手段とを有し、
前記駆動手段は、
前記フロントパネルに回動自在に連結された第１先端と、該第１先端の反対側に設けられた第２先端とを有する第１リンクと、
前記第１リンクの第２先端に回動自在に連結される第１先端及び前記吸入パネルに回動自在に連結される第２先端を有する第２リンクと、
前記第１及び第２リンクの連結部に形成されて前記第１リンク及び第２リンクの相対回転範囲を制限するストッパーとを有することを特徴とする空調装置。
【請求項２】
前記吸入パネルの下側縁が、前記フロントパネルの下部に回動自在に支持されていることを特徴とする請求項１に記載の空調装置。
【請求項３】
前記吸入パネルは、前記吸入口を覆い得るメインプレートと前記メインプレートの前面に付着される補助プレートとを有することを特徴とする請求項２に記載の空調装置。
【請求項４】
前記補助プレートは、
光を透過する第１層及び前記第１層の背面に位置されて光を反射する第２層からなることを特徴とする請求項３に記載の空調装置。
【請求項５】
前記補助プレートの第１層が強化ガラス又は合成樹脂から製造されることを特徴とする請求項４に記載の空調装置。
【請求項６】
前記補助プレートの第２層が金属薄膜又は誘電体の多層膜であることを特徴とする請求項４に記載の空調装置。
【請求項７】
前記第２層が所定のカラーで彩られることを特徴とする請求項６に記載の空調装置。
【請求項８】
前記補助プレートは多数の形態の模様及び色を含むことを特徴とする請求項４に記載の空調装置。
【請求項９】
前記吸入パネルは、前記ストッパーにより、空調装置の運転中に前記フロントパネルに対して一定傾斜角を維持することを特徴とする請求項１に記載の空調装置。
【請求項１０】
前記第１リンク及び第２リンクの連結部は、前記第１リンクの第２先端又は前記第２リンクの第１先端のうちいずれか一つに形成されるヒンジホール、及び、前記ヒンジホールが形成された先端に連結される他の一つの先端に形成されて前記ヒンジホールに挿入されるヒンジピンを含むことを特徴とする請求項１に記載の空調装置。
【請求項１１】
前記第２リンク及び吸入パネルの連結部は、
前記吸入パネルの背面に形成されヒンジホールを含むブラケットと、
前記第２リンクの第２先端に形成されるヒンジホールと、
前記ブラケット及び前記第２リンクのヒンジホールに同時に挿入されるヒンジピンと、
を含むことを特徴とする請求項１に記載の空調装置。
【請求項１２】
前記駆動手段は、前記第１リンクの第１先端に連結され前記第１リンクを自動的に回転させるモータを更に含むことを特徴とする請求項１に記載の空調装置。
【請求項１３】
前記モータは、前記第１リンクの回転量を段階的に調節できるステップモータであることを特徴とする請求項１２に記載の空調装置。
【請求項１４】
前記モータは、前記フロントパネルの背面に設置され、前記第１リンクは前記フロントパネルに形成された開口部を通って前記モータ軸と連結されることを特徴とする請求項１２に記載の空調装置。
【請求項１５】
前記フロントパネルは、前記開口部の近くに形成され、内部電装品への接近を防止する隔壁を更に含むことを特徴とする請求項１４に記載の空調装置。
【請求項１６】
前記隔壁は、前記開口部の周囲から前記フロントパネルの後方に前記フロントパネルの前面に垂直に延長されることを特徴とする請求項１５に記載の空調装置。
【請求項１７】
前記駆動手段は前記第１及び第２リンクの連結部に形成されて前記第１及び第２リンクの分離を防止する補助連結部材を更に含むことを特徴とする請求項１に記載の空調装置。
【請求項１８】
前記補助連結部材は前記第１リンクの第２先端又は前記第２リンクの第１先端のうち、いずれか一つに形成され、連結される他の一つの先端の一部を包むガイドであることを特徴とする請求項１７に記載の空調装置。
【請求項１９】
前記補助連結部材は、前記第１リンクの第２先端又は前記第２リンクの第１先端のうち、いずれか一つの近くに形成されるボスと、
前記ボスに締結されながら前記ボスが形成された先端に連結される他の一つの先端の一部と噛み合わせる締結部材とを含むことを特徴とする請求項１７に記載の空調装置。
【請求項２０】
前記吸入パネル及びフロントパネルの装着部は、前記フロントパネルの下部に形成されるヒンジバー、及び、前記吸入パネルの下端に突出されるように形成され前記ヒンジバーに着脱可能に結合されるヒンジリングを含むことを特徴とする請求項１に記載の空調装置。
【請求項２１】
前記吸入パネルは、前記吸入パネルが前記フロントパネルに対して取り外される場合、内部電装品に対する電源を遮断する電源制御手段を更に含むことを特徴とする請求項１に記載の空調装置。
【請求項２２】
前記電源制御手段は、前記吸入パネルの下端に形成され前記フロントパネルへの装着時に、前記フロントパネルに形成された孔に挿入される突起と、
前記フロントパネル内に所定の固定部材によって固定され、前記挿入された突起と接触して電源を供給するスイッチと、
を含むことを特徴とする請求項２１に記載の空調装置。
【請求項２３】
前記突起のスイッチとの接触部位が曲面であることを特徴とする請求項２２に記載の空調装置。
【請求項２４】
前記スイッチは、
電気的な接点を含む本体と、
前記本体と連結される一端と、電気的な接点を含み加圧時前記本体の接点と接触する他端とを有する端子と、
を含むことを特徴とする請求項２２に記載の空調装置。
【請求項２５】
前記固定部材は、
前記突起のための溝に隣接して前記フロントパネルの内部に形成され前記スイッチが挿入されるフック及び前記スイッチを支持するリーブを含むことを特徴とする請求項２２に記載の空調装置。
【請求項２６】
前記メインシャーシに設置され、前記メインシャーシの内部に挿入されるか外部に引き出されながら熱交換された空気を室内に吐き出す吐き出し手段を更に含むことを特徴とする請求項１に記載の空調装置。
【請求項２７】
前記メインシャーシは、前方部と、前記前方部の後面から突出した後方部とを有し、前記後方部は前記前方部と連通するとともに室内壁面に設置され、前記後方部は前記前方部より小さい左右幅を有することを特徴とする請求項１に記載の空調装置。
【発明の詳細な説明】
【０００１】
【発明の属する技術分野】
本発明は、空調装置に関するもので、特に、空調装置の室内機に関する。
【０００２】
【従来の技術】
一般に、空調装置は室内の快適な空気調和のため空気を冷却させて室内に循環させる装置である。かかる空調装置は全て部品などが一つのユニットに備えられる一体型と二つのユニット、即ち、室内機及び室外機に備えられる分離型に分けられる。分離型空調装置は更に室内機を壁に掛ける壁掛け型と室内機を底面に設置する床置型と室内機を天井に吊したり天井内部に設置する天井型とに分けられる。
【０００３】
図１は一般的な分離型空調装置の室内機を示す斜視図である。
【０００４】
図１に示すように、一般的な分離型空調装置の室内機は外観を形成し室内壁面に装着されるメインシャーシ１と、前記メインシャーシ１の正面に設置される前面パネル３と、前記前面パネル３に形成される吸入グリル５ａと、前記前面パネル３の下端に設置される吐き出しグリル７とから構成される。また、前記吸入グリル５ａと吐き出しグリル７の間に現在の作動状態を表示したりユーザの操作を誘導する表示部９が設置される。
【０００５】
なお、前記メインシャーシ１の上部面にも室内空気が吸入される別の吸入グリル５ｂを更に設置することもできる。
【０００６】
このような従来分離型空調装置は次のような問題があった。
第一に、前記メインシャーシ１と前面パネル３が前方に向かって円状に突出されているので、従来室内機の前後の幅が相当広かった。また、吸入グリル５ａは室内機の内部部品を保護し、外部空気を誘導する役割をする室内機の前後の幅を増加させる一つの原因になり、室内機の外観にあまり役に立たなかった。
【０００７】
これによって従来室内機は多くの室内空間を示すだけではなく、全体的に美麗な外観を提供することができなかった。
【０００８】
第二に、前記、吸入グリル５ａ、５ｂは部分的にいつも開放されているので、塵などの異物質が前記吸入グリルを通って室内機の内部に進入する問題があった。
【０００９】
第三に、前記吸入グリル５ａと吐き出しグリル７の位置的な関係から、吸入される空気と吐き出される空気が相互干渉する問題点が発生した。即ち、前記吸入グリル５ａと吐き出しグリル７が全て前記メインシャーシ１の正面に位置するので熱交換のために吸入される空気と熱交換済みの空気が相互に混ざることがしばしば発生した。この場合、熱交換された空気が室内をろくに循環しない状態ですぐに前記吸入グリル５ａを通って熱交換機１１に吸入されてしまい、これによって熱交換の効率が低下された。
【００１０】
第四に、前記吐き出しグリル７の構造によって、前記メインシャーシ１の直下の空間に熱交換された空気がろくに供給されない四角形状の領域が発生した。勿論、前記ベーン１７やルーバー１５によって熱交換された空気の吐き出し方向を調節できるが前記メインシャーシ１の直下の空間に熱交換された空気を直接供給することは不可能であった。
【００１１】
【発明が解決しようとする課題】
本発明は、上記従来技術の問題点を解決するためのもので、よりスリム化された外観を有する空調装置を提供することが目的である。
【００１２】
本発明の他の目的は熱交換前の空気と熱交換後の空気が相互干渉しない空調装置を提供することが目的である。
【００１３】
本発明の他の目的は異物質の侵入を最小化できる空調装置を提供することが目的である。
【００１４】
本発明の更に他の目的は熱交換された空気を室内に均一に供給できる空調装置を提供することが目的である。
【００１５】
【課題を解決するための手段】
上記目的を達成するための本発明によると、各種部品などを収容するように形成されたメインシャーシと、前記メインシャーシ内に設置され室内空気と熱交換する熱交換機と、前記メインシャーシ内に設置され室内空気を吸入及び吐き出す送風ファンと、前記メインシャーシの前方に付着され、前記熱交換機に空気を流入させるために前面に形成された吸入口を含むフロントパネルと、また、前記フロントパネルの前面に回動自在に設置されて前記吸入口を選択的に開閉し、前記フロントパネルの前面に脱着自在に設置される吸入パネルと、からなることを特徴とする。
【００１６】
ここで、前記吸入パネルはメインプレートと前記メインプレートの前面に付着される補助プレートとからなる。
【００１７】
また、前記補助プレートは、光を透過する第１層及び前記第１層の背面に位置されて光を反射する第２層からなる。
【００１８】
前記補助プレートの第１層が強化ガラス又は合成樹脂から製造され前記補助プレートの第２層が金属薄膜又は誘電体の多層膜で製造される。また、前記第２層が所定のカラーで彩られ、前記補助プレートは多数の形態の模様及び色を含む。
【００１９】
前記吸入パネルは作動中前記フロントパネルに対して一定傾斜角を維持することが望ましい。このために前記吸入パネルは前記吸入パネルの脱着時前記フロントパネルと吸入パネルを連結し、作動中前記吸入パネルを限定された範囲まで回転させる駆動手段を含むことが望ましい。
【００２０】
前記駆動手段は、前記フロントパネルに回動自在に連結された第１先端を有する第１リンク、及び前記第１リンクの第１先端に対向される第１リンクの第２先端に回動自在に連結される第１先端及び前記吸入パネルに回動自在に連結される第２先端を有する第２リンクを含む。
【００２１】
前記第１リンク及び第２リンクの連結部は、前記第１リンクの第２先端又は前記第２リンクの第１先端のうちいずれか一つに形成されるヒンジホール、及び前記ヒンジホールが形成された先端に連結される他の一つは先端に形成されて前記ヒンジホールに挿入されるヒンジピンを含むことを特徴とする。
【００２２】
前記第２リンク及び吸入パネルの連結部は、前記吸入パネルの背面に形成されヒンジホールを含むブラケットと、前記第２リンクの第２先端に形成されるヒンジホール及び前記ブラケット及び前記第２リンクのヒンジホールなどに同時に挿入されるヒンジピンを含む。
【００２３】
望ましくは、前記駆動手段は前記第１リンクの第１先端に連結され前記第１リンクを自動に回転させるモータを更に含み、前記モータは前記第１リンクの回転量を段階的に調節できるステップモータであることを特徴とする。
【００２４】
前記モータは設置空間の制約によって実際に前記フロントパネルの背面に付着され、前記第１リンクは前記フロントパネルに形成された開口部を通って前記モータ軸と連結される。
【００２５】
前記内装された電装品への接近を防止するために、前記フロントパネルは前記開口部の近くに形成され、前記内蔵された電装品への接近を防止する隔壁を更に含み、前記隔壁は前記開口部の周囲から前記フロントパネルの後方に前記フロントパネルの前面に垂直に延長されることを特徴とする。
【００２６】
前記駆動手段は前記第１及び第２リンクの連結部に形成されて前記第１及び第２リンクの分離を防止する補助連結部材を更に含むことを特徴とする。
【００２７】
前記補助連結部材は前記第１リンクの第２先端又は前記第２リンクの第１先端のうち、いずれか一つに形成され、連結される他の一つの先端一部を包むガイドであることを特徴とする。
【００２８】
前記補助連結部材は、前記第１リンクの第２先端又は前記第２リンクの第１先端のうち、いずれか一つの近くに形成されるボス及び
前記ボスに締結されながら前記ボスが形成された先端に連結される他の一つの先端一部と噛み合わせる締結部材を含むことを特徴とする。
【００２９】
また、前記駆動手段は前記第１及び第２リンクの連結部に形成されて前記第１リンク及び第２リンクの相対回転範囲を制限するストッパーを更に含み、前記吸入パネル及びフロントパネルの装着部は、前記フロントパネルの下部に形成されるヒンジバー及び、前記吸入パネルの下端に突出されるように形成され前記ヒンジバーに着脱可能に結合されるヒンジリングを含む。
【００３０】
前記吸入パネルが分離される場合、前記吸入パネルは内部電装品に対する電源を遮断する電源制御手段を更に含む。
【００３１】
かかる前記電源制御手段は前記吸入パネルの下端に形成されパネル装着時前記フロントパネルに形成された孔に挿入される突起及び
前記フロントパネル内に所定の固定部材によって固定され、前記挿入された突起と接触して電源を供給するスイッチを含む。
【００３２】
ここで、前記スイッチは、電気的な接点を含む本体及び、
前記本体と連結される一端と電気的な接点を含み加圧時前記本体の接点と接触する他端を有する端子を含み、前記固定部材が、
前記突起のための溝に隣接に前記フロントパネルの内部に形成され前記スイッチが挿入されるフック及び前記スイッチを支持するリーブなどを含む。
【００３３】
なお、本発明の空調装置は、前記メインシャーシに設置され、前記メインシャーシの内部に挿入されるか外部に引き出されながら熱交換された空気を室内に吐き出す吐き出し手段を更に含む。
【００３４】
前記本発明によって空調装置は、コンパクトで、美麗な外観を有することになる。
【００３５】
本発明は、各種部品などを収容するように形成されたメインシャーシと、前記メインシャーシ内に設置され、室内空気と熱交換する熱交換機と、前記メインシャーシ内に設置され、室内空気を吸入及び吐き出す送風ファンと、前記メインシャーシの前方に付着され、前記熱交換機に空気を流入させるために前面に形成された吸入口を含むフロントパネルと、また、前記フロントパネルの前面に回動自在に設置されて前記吸入口を選択的に開閉し、前記フロントパネルの前面に脱着自在に設置される吸入パネルと、からなる。
【００３６】
前記吸入パネルの下端が前記フロントパネルの下部に回動自在に装着されることを特徴とする。
【００３７】
前記吸入パネルはメインプレートと前記メインプレートの前面に付着される補助プレートと、からなる。
【００３８】
前記補助プレートは、光を透過する第１層及び前記第１層の背面に位置されて光を反射する第２層からなることを特徴とする。
【００３９】
前記補助プレートの第１層が強化ガラス又は合成樹脂から製造される。
【００４０】
前記補助プレートの第２層が金属薄膜又は誘電体の多層膜である。
【００４１】
前記第２層が所定のカラーで彩られる。
【００４２】
前記補助プレートは多数の形態の模様及び色を含む。
【００４３】
前記吸入パネルは作動中前記フロントパネルに対して一定傾斜角を維持する。
【００４４】
前記吸入パネルは前記吸入パネルの脱着時前記フロントパネルと吸入パネルを連結し、作動中前記吸入パネルを限定された範囲まで回転させる駆動手段を含む。
【００４５】
前記駆動手段は、前記フロントパネルに回動自在に連結された第１先端を有する第１リンク、及び、前記第１リンクの第１先端に対向される第１リンクの第２先端に回動自在に連結される第１先端及び前記吸入パネルに回動自在に連結される第２先端を有する第２リンクを含む。
【００４６】
前記第１リンク及び第２リンクの連結部は、前記第１リンクの第２先端又は前記第２リンクの第１先端のうちいずれか一つに形成されるヒンジホール、及び、前記ヒンジホールが形成された先端に連結される他の一つは先端に形成されて前記ヒンジホールに挿入されるヒンジピンを含む。
【００４７】
前記第２リンク及び吸入パネルの連結部は、前記吸入パネルの背面に形成されヒンジホールを含むブラケットと、前記第２リンクの第２先端に形成されるヒンジホール、前記ブラケット及び前記第２リンクのヒンジホールなどに同時に挿入されるヒンジピンと、を含む。
【００４８】
前記駆動手段は、前記第１リンクの第１先端に連結され前記第１リンクを自動に回転させるモータを更に含む。
【００４９】
前記モータは、前記第１リンクの回転量を段階的に調節できるステップモータである。
【００５０】
前記モータは、前記フロントパネルの背面に付着され、前記第１リンクは前記フロントパネルに形成された開口部を通って前記モータ軸と連結される。
【００５１】
前記フロントパネルは、前記開口部の近くに形成され、前記内蔵された電装品への接近を防止する隔壁を更に含む。
【００５２】
前記隔壁は、前記開口部の周囲から前記フロントパネルの後方に前記フロントパネルの前面に垂直に延長される。
【００５３】
前記駆動手段は前記第１及び第２リンクの連結部に形成されて前記第１及び第２リンクの分離を防止する補助連結部材を更に含む。
【００５４】
前記補助連結部材は前記第１リンクの第２先端又は前記第２リンクの第１先端のうち、いずれか一つに形成され、連結される他の一つの先端一部を包むガイドである。
【００５５】
前記補助連結部材は、前記第１リンクの第２先端又は前記第２リンクの第１先端のうち、いずれか一つの近くに形成されるボス及び前記ボスに締結されながら前記ボスが形成された先端に連結される他の一つの先端一部と噛み合わせる締結部材を含む。
【００５６】
前記駆動手段は前記第１及び第２リンクの連結部に形成されて前記第１リンク及び第２リンクの相対回転範囲を制限するストッパーを更に含む。
【００５７】
前記吸入パネル及びフロントパネルの装着部は、前記フロントパネルの下部に形成されるヒンジバー、及び、前記吸入パネルの下端に突出されるように形成され前記ヒンジバーに着脱可能に結合されるヒンジリングを含む。
【００５８】
前記吸入パネルにおいて、前記吸入パネルが分離される場合内部電装品に対する電源を遮断する電源制御手段を更に含む。
【００５９】
前記電源制御手段は、前記吸入パネルの下端に形成されパネル装着時前記フロントパネルに形成された孔に挿入される突起と、前記フロントパネル内に所定の固定部材によって固定され、前記挿入された突起と接触して電源を供給するスイッチと、を含む。
【００６０】
前記突起のスイッチとの接触部位が曲面である。
【００６１】
前記スイッチは、電気的な接点を含む本体と、前記本体と連結される一端と電気的な接点を含み加圧時前記本体の接点と接触する他端を有する端子と、を含む。
【００６２】
前記固定部材は、前記突起のための溝に隣接に前記フロントパネルの内部に形成され前記スイッチが挿入されるフック及び前記スイッチを支持するリーブを含む。
【００６３】
前記メインシャーシに設置され、前記メインシャーシの内部に挿入されるか外部に引き出されながら熱交換された空気を室内に吐き出す吐き出し手段を更に含む。
【００６４】
前記メインシャーシがこの底面に形成される吐き出し口を含む。
【００６５】
前記メインシャーシが前方部と前記前方と連通され壁面に設置される後方部を含む。
【００６６】
本発明の空調装置は、各種部品などを収容するように形成されたメインシャーシと、前記メインシャーシ内に設置され、室内空気と熱交換する熱交換機と、前記メインシャーシ内に設置され室内空気を吸入及び吐き出す送風ファンと、前記メインシャーシの前方に付着され、前記熱交換機に空気を流入させるために前面に形成された吸入口を含むフロントパネルと、また、前記吸入口を選択的に開閉するように前記フロントパネルの前面に回動自在に設置され、前記フロントパネルの前面に脱着可能に設置され脱着される時前記フロントパネルにつながれる吸入パネルからなる。
【００６７】
前記吸入パネルの下端が前記フロントパネルの下部に回動自在に装着される。
【００６８】
前記吸入パネルは、メインプレートと前記メインプレートの前面に付着される補助プレートとからなる。
【００６９】
前記補助プレートは、光を透過する第１層及び前記第１層の背面に位置されて光を反射する第２層からなる。
【００７０】
前記補助プレートの第１層が強化ガラス又は合成樹脂から製造される。
【００７１】
前記補助プレートの第２層が金属薄膜又は誘電体の多層膜である。
【００７２】
前記第２層が所定のカラーで彩られる。
【００７３】
前記補助プレートは多数の形態の模様及び色を含む。
【００７４】
前記吸入パネルは作動中前記フロントパネルに対して一定傾斜角を維持する。
【００７５】
前記吸入パネルは前記吸入パネルの脱着時前記フロントパネルと吸入パネルとを連結し、作動中前記吸入パネルを限定された範囲まで回転させる駆動手段を含む。
【００７６】
前記駆動手段は、前記フロントパネルに回動自在に連結された第１先端を有する第１リンク、及び前記第１リンクの第１先端に対向される第１リンクの第２先端に回動自在に連結される第１先端及び前記吸入パネルに回動自在に連結される第２先端を有する第２リンクを含む。
【００７７】
前記第１リンク及び第２リンクの連結部は、前記第１リンクの第２先端又は前記第２リンクの第１先端のうちいずれか一つに形成されるヒンジホール、及び前記ヒンジホールが形成された先端に連結される他の一つの先端に形成されて前記ヒンジホールに挿入されるヒンジピンを含む。
【００７８】
前記第２リンク及び吸入パネルの連結部は、前記吸入パネルの背面に形成されヒンジホールを含むブラケットと、前記第２リンクの第２先端に形成されるヒンジホール及び前記ブラケット及び前記第２リンクのヒンジホールなどに同時に挿入されるヒンジピンを含む。
【００７９】
前記駆動手段は前記第１リンクの第１先端に連結され前記第１リンクを自動に回転させるモータを更に含む。
【００８０】
前記モータは前記第１リンクの回転量を段階的に調節できるステップモータである。
【００８１】
前記モータは前記フロントパネルの背面に付着され、前記第１リンクは前記フロントパネルに形成された開口部を通って前記モータ軸と連結される。
【００８２】
前記フロントパネルは前記開口部の近くに形成され、前記内蔵された電装品への接近を防止する隔壁を更に含む。
【００８３】
前記隔壁は前記開口部の周囲から前記フロントパネルの後方に前記フロントパネルの前面に垂直に延長される。
【００８４】
前記駆動手段は前記第１及び第２リンクの連結部に形成されて前記第１及び第２リンクの分離を防止する補助連結部材を更に含む。
【００８５】
前記補助連結部材は前記第１リンクの第２先端又は前記第２リンクの第１先端のうち、いずれか一つに形成され、連結される他の一つの先端一部を包むガイドである。
【００８６】
前記補助連結部材は、前記第１リンクの第２先端又は前記第２リンクの第１先端のうち、いずれか一つの近くに形成されるボス及び前記ボスに締結されながら前記ボスが形成された先端に連結される他の一つの先端一部と噛み合わせる締結部材を含む。
【００８７】
前記駆動手段は前記第１及び第２リンクの連結部に形成されて前記第１リンク及び第２リンクの相対回転範囲を制限するストッパーを更に含む。
【００８８】
前記吸入パネル及びフロントパネルの装着部は、前記フロントパネルの下部に形成されるヒンジバーと、前記吸入パネルの下端に突出されるように形成され前記ヒンジバーに着脱可能に結合されるヒンジリングと、を含む。
【００８９】
前記吸入パネルにおいて前記吸入パネルが分離される場合内部電装品に対する電源を遮断する電源制御手段と、を更に含む。
【００９０】
前記電源制御手段は、前記吸入パネルの下端に形成されパネル装着時前記フロントパネルに形成された孔に挿入される突起と、前記フロントパネル内に所定の固定部材によって固定され、前記挿入された突起と接触して電源を供給するスイッチと、を含む。
【００９１】
前記突起のスイッチとの接触部位が曲面である。
【００９２】
前記スイッチは、電気的な接点を含む本体と、前記本体と連結される一端と電気的な接点を含み加圧時前記本体の接点と接触する他端を有する端子を含む。
【００９３】
前記固定部材が、前記突起のための溝に隣接に前記フロントパネルの内部に形成され前記スイッチが挿入されるフック及び前記スイッチを支持するリーブなどを含む。
【００９４】
前記メインシャーシに設置され、前記メインシャーシの内部に挿入されるか外部に引き出されながら熱交換された空気を室内に吐き出す吐き出し手段を更に含む。
【００９５】
前記メインシャーシがこの底面に形成される吐き出し口を含む。
【００９６】
前記メインシャーシが前方部と前記前方部と連通され壁面に設置される後方部を含む。
【００９７】
【発明の実施の形態】
以下、添付の図面を参照して本発明を更に詳細に説明する。
【００９８】
図２は本発明による空調装置の室内機を示す分解斜視図であり、図３Ａ及び図３Ｂは本発明による空調装置の室内機の側断面図である。
【００９９】
一般的に空調装置は説明されたように一体型空調装置と室内機及び室外機を有する分離型空調装置とから分類される。下記において本発明は分離型空調装置に適用された実施形態に対して説明する。また、本発明による空調装置の室外機は一般的な室外機と同一であるのでこれに対する説明は省略される。
【０１００】
図面に示すように、本発明による空調装置の室内機はメインシャーシ１０、メインシャーシ１の内部に設置される熱交換機２０及び送風ファン３０と、メインシャーシ２０の前方に設置されるフロントパネル４０、また、フロントパネル４０の前面に設置される吸入パネル５０からなる。
【０１０１】
ここで、まずメインシャーシ１０は基本的に室内機の作動のための各種部品などを収容できるように形成される。また、本発明でメインシャーシ１０の底面には室内機の内で熱交換された空気を吐き出すための吐き出し口１４が形成され、吐き出し口１４に吐き出しアセンブリ６０が装着される。吐き出しアセンブリ６０はベーン及びルーバーなどで構成され熱交換された空気の吐き出し方向を左右及び上下に調節することができる。従って、図３Ａ及び図３Ｂに示すようにかかる吐き出し口１４及び吐き出しアセンブリ６０は室内機の直下の領域に空気を吐き出すことができるので一時的に室内機の前面を通った吸入空気流動と吐き出し空気流動間の干渉を排除し、室内機の下部領域の冷房に有利である。
【０１０２】
また、吐き出し口１４が室内機の前面ではない底面に形成されることによって室内機の前面の外観が向上される。
【０１０３】
また、メインシャーシ１０は二重構造即ち、図５Ａ及び図５Ｂに示すように前方部１１と室内壁面に設置される後方部１２に構成されることができる。
【０１０４】
前方部１１と後方部１２は互いに連通され、両者間の空間を通って熱交換機２０と送風ファン３０などが設置される。
【０１０５】
より詳細に説明すると、前方部１１は矩形であり、この底面に吐き出し口１４が形成される。また、前方部１１はフロントパネル４０と一体に形成することもできる。
【０１０６】
後方部１２は前方部１１の後面から突出され、前方部１１より小さい上下幅と左右幅を有する。従って、後方部１２が室内壁面に設置される場合、ユーザの立場では前方部１１が主に見せられ、その結果室内機の外観が視覚的にスリム化される。特に室内壁面に後方部１２と対応する凹溝が形成される場合、前方部１１だけが室内壁面から突出されるので室内機の占める空間を相当減らすことになる。
【０１０７】
また、後方部１２は前方部１２と相互分離される別の部材になり得るし、一方、前方部１２と相互分離される一体に形成される。
【０１０８】
また、前方部１１の上部面と後方部１２の上部面には吸入効率を向上させるために別の吸入口１３ａ、１３ｂが形成され得る。また、吸入空気の流動を円滑にガイドするように、吸入口１３ａ、１３ｂなどは吸入グリルを更に包含できる。
【０１０９】
熱交換機２０はその内部に流動する冷媒などの作動流体によって室内機に吸入された室内空気と熱交換される。また、送風ファン３０は一般的に熱交換機２０の後方に位置し、モータ３１によって回転しながら室内空気を室内機を介して強制循環される。即ち、送風ファン３０は、室内空気が熱交換機２０と熱交換されるように室内機の内部に吸入させ、熱交換された空気を室内機の外部に吐き出す。この場合、熱交換機２０は図３Ａ、図３Ｂ及び図５に示すように室内機前方部のみだけじゃなく上部に形成された吸入口などを通って吸入される室内空気が全て熱交換されるように適当に折り曲げられている形状を有する。
【０１１０】
フロントパネル４０は基本的にメインシャーシ１０の前面を密閉することでメインシャーシ１０と共に熱交換機及び送風ファン３０などのような各種部品などが装着される空間を形成する。フロントパネル４０の前面には熱交換機２０に室内空気を流入させるための主吸入口４１ａが形成される。  また、メインシャーシ１０の上部吸入口１３ａ、１３ｂに代えてフロントパネル４０の上部に補助吸入口４１ｂが形成される。また、フロントパネル４０の前面には吸入パネル５０のための内部に陥没された席部４０ａが形成され、席部４０ａの上部及び下部には装飾パネル４２ａ、４２ｂが各々設置される。装飾パネル４２ａ、４２ｂは各種カラーまたは模様を含みて室内機の前面を装飾する役割をし、空調装置の外観を向上させるために吸入パネル５０と共に平らな室内機の前面を形成する。
【０１１１】
かかる装飾パネル４２ａ、４２ｂはフロントパネル４０と一体に形成され得る。また、吸入される空気を浄化するために主吸入口４１ａには集塵機４５及び空気フィルタ−４７が各々設置される。全体的にフロントパネル４０は設計的な必要によってメインシャーシ１０と一体に形成されることもできる。
【０１１２】
吸入パネル５０は主吸入口４１ａ全体を覆える平面部材として主吸入口４１ａを選択的に開閉する。このために吸入パネル５０は基本的にフロントパネル４０に回動自在に設置し、より詳細には吸入パネル５０の下端部はフロントパネル４０の前面下部にヒンジ連結される。吸入パネル５０は下端部を中心に回転しながら空調装置の作動時主吸入口４１ａを開放し、作動停止時閉鎖することになる。ここで一般的な吐き出しグリルと比較した時吸入パネル５０は薄い平面部材であるので室内機の全体をコンパクトにでき、前面を平面化するので室内機の外観を美麗にできる。また、吸入パネル５０は空調装置の作動停止時主吸入口４１ａを完全に閉鎖するので主吸入口４１ａを通った異物質の侵入を防止することができる。また、吸入パネル５０とフロントパネル４０とはヒンジによって連結されるので本発明はこのような簡単な構造によって主吸入口４１ａを開閉することができる。
【０１１３】
より詳細に説明すると、吸入パネル５０は図２に示すように、フロントパネル４０に装着されるメインプレート５１とメインプレート５１の前面に付着される補助プレート５２を含むことができる。ここで、メインプレート５１には補助プレート５２のための空洞部の席部が形成されるのが望ましい。また、補助プレート５２は二重部材で形成するか単一部材で形成されることもできる。
【０１１４】
二重部材の補助プレート５２は第１層５２ａ及び第１層５２ａの背面に位置される第２層５２ｂを包含できる。第１層５２ａは強化ガラス又は透明な合成樹脂で製造され、光を透過させる。また、第２層５２ｂは第１層５２ａを透過した光を反射させ、このために金属薄膜又は誘電体多層膜となる。金属薄膜は第１層５２ａの背面を研磨して塗布される銀やアルミニウム膜となり、誘電体多層膜は第１層５２ａの背面に蒸着される。かかる補助プレート５２で室内機の前面に入射された光は第１層５２ａを透過して第２層５２ｂで反射されることによって吸入パネル５０は全体的にミラーとして作用する。また、第２層５２ｂ所定のカラーで彩られ、かかるカラーは透明な第１層５２ａを通って露出される。なお、単一部材の補助プレート５２は多様な模様及びカラーを包含できる。特に原木形態の模様及びカラーは室内機に上品なイメージを与える。従って、このような補助プレート５２によって空調装置の外観は更に向上され得る。
【０１１５】
又、図４Ａ及び図４Ｂに示すように吸入パネル５０には写真などの印刷物５５ａを挿入する挿入溝５５が形成され得、空調装置の運転状態を表示する表示部５６が設置されることもできる。これらの挿入溝５５及び表示部５６は空調装置の外観を向上させる同時に吸入パネル５０が更に様々な用途を有することにする。
【０１１６】
なお、吸入パネル５０が完全に開放される場合、主吸入口４１ａの全体が露出されるので室内機の外観上美麗でなかった。従って、図３Ｂ及び図４Ｂに示すように吸入パネル５０はフロントパネル４０から一定角度だけに回動するのが望ましい。即ち、吸入パネル５０は空調装置の作動中フロントパネル４０に対して一定な傾斜角を維持することになる。かかる傾斜の吸入パネル５０は図３Ｂに示すように主吸入口４１ａと吐き出し口１４との間に位置される。従って、吸入口４１ａ及び吐き出し口１４を通った吸入流動及び吐き出し流動は実質的に相互分離され相互干渉されない。また、一般的に室内機が壁面に高く位置されユーザは上向くことになるので傾斜の吸入パネル５０は開放された主吸入口４１ａを見せなく隠すことができる。また、吸入パネル５０に設置された表示部５６などはかえってユーザに更に良く見えるようにする。
【０１１７】
かかる一定傾斜角を維持するために吸入パネル５０は吸入パネル５０を支持しながら同時に回転運動を制限できる駆動手段７０を更に含むのが望ましい。駆動手段７０として多数メカニズムが用いられるが、本発明ではリンクメカニズムが適用される。
【０１１８】
最大限に広がれる場合にも全体リンク長さは限定されるのでかかるリンク駆動手段７０は限定されたリンク長さほど吸入パネルの回転を許容し、最大に回転された時吸入パネル５０をこれ以上回転されないように拘束する。
【０１１９】
駆動手段７０は全体的に図２、図６及び図７に示すようにフロントパネル４０に連結された第１リンク７１及び第１リンク７１と吸入パネル５０とを連結する第２リンク７２を含む。
【０１２０】
ここで、第１リンク７１はフロントパネル４０に回転可能に連結された第１先端７１ａ及び第１先端７１ａに対向され第２リンク７２と回転可能に連結される第２先端７１ｂを有する。また、第２リンク７２は第１リンク７１の第２先端７１ｂと回転可能に連結される第１先端７２ａと吸入パネル５０に回動自在に連結される第２先端７２ｂを有する。より詳細には第１リンク７１と第２リンク７２の連結部は図６、図７及び図８Ａに示すように第１リンク７１の第２先端７１ｂに形成されるヒンジホール７１ｄと第２リンク７２の第１先端７２ａに形成されヒンジホール７１ｄに挿入されるヒンジピン７２ｃからなる。
【０１２１】
かかる連結部においてヒンジピン７２ｃをヒンジホール７１ｄから抜くか或いは挿入することで第１リンク７１及び第２リンク７２は容易に分解され得る。即ち、単なる連結部によって吸入パネル５０の修理及び交換などが容易におこなわれる。又説明とは反対にヒンジホールを第２リンク７２にヒンジピンは第１リンク７１に各々形成されることも可能である。また、第２リンク７２及び吸入パネル５０の連結部は図８Ｂに示すように吸入パネル５０の背面に形成されヒンジホール５７ａを含むブラケット５７、第２リンク７２の第２先端７２ｂに形成されるヒンジホール７２ｄ及びブラケット及び第２リンクのヒンジホール５５ａ、７２ｄに同時に挿入されるヒンジピン５８からなる。
【０１２２】
第１及び第２リンク連結部と類似に吸入パネル５０と第２リンク７２はヒンジピン５８を除去することで容易に分離され、従って、これらの修理及び交換又は容易になる。
【０１２３】
駆動手段７０と共に吸入パネル５０はユーザによって手動で作動できるがユーザの便宜のために吸入パネル５０は自動で回転されるのが望ましい。このために駆動手段７０は第１リンク７１及び第２リンク７２に駆動力を提供するモータ７３をさらに含む。より詳細にはモータ７３の軸は図８Ａ及び図８Ｂに示すように第１先端７１ａの孔７１ｃに挿入されることによってモータ７３は第１リンクと駆動可能に連結される。また、モータ７３はステップモータであるのが望ましく、これによって第１リンク７１の回転量を段階的に調節できる。従って、吸入パネル５０の回転量及び傾斜角度が調節されながら、吸入パネル５０と主吸入口４１ａの間の間隔が変化され得るし、これによって主吸入口４１ａを通った空気吸入量が調節される。
【０１２４】
なお、モータ７３が設置される場合、吸入パネル５０とフロントパネル４０の間の空間は制限されているのでモータ７３は望ましくは図８Ａ及び図８Ｂに示すようにフロントパネル４０の背面に付着され、第１リンク７１はフロントパネルに形成された開口部４３を通ってモータ７３と連結される。かかる設置構造は主吸入口４１ａが開放する場合にもモータ７３が露出されないようにすることで空調装置の外観の向上に役に立つ。
【０１２５】
開口部４３は第１リンク７１及び第２リンク７２がこれを通って円滑に運動できるように上下に長く延長されるのが有利である。しかしながら、かかる開口部４３はユーザの指や他の部材などが挿入できる程度で十分に大きくなる。従って、フロントパネル４０は開口部４３の周辺に形成される隔壁４８を更に含むのが望ましい。
【０１２６】
隔壁４８は図８Ａ及び図８Ｂに示すように開口部４３の周りからフロントパネル４０の後側（後方）に延長される。また隔壁４８は開口部４３の周りからフロントパネル５０の前面に垂直に延長されることもできるが、開口部４３の大きさを縮小させることができるように開口部４３の内側方向に傾斜に形成するのが更に有利である。従って、隔壁４８が室内機に内装された部品への接近を防止することによって指又は外部部材と部品との接触によってユーザが感電されるか部品などの誤動作が発生しない。
【０１２７】
また、第１リンク及び第２リンク７１は、このように単なる連結部を有する作動中に分離される可能性がある。従って、駆動手段を望ましくは第１リンク７１及び第２リンク７２の連結部に形成される補助連結部材などを更に含む。補助連結部材はまず図６及び図７に示すように第２リンク７２に形成されるガイド７４となる。ガイド７４は第２リンク７２の第１先端７２ａから第１リンク７１の第２先端７１ｂに沿って水平に延長される水平部材７４ａ及び水平部材７４ａから第２先端７１ｂの側面を覆うように延長される垂直部材７４ｂを含む。即ち、ガイド７４は全体的に第２先端７１ｂの一部を包むことによって第２先端７１ｂが第２リンクの第１先端７２ａから離脱されることを防止する。
【０１２８】
なお、ガイド７４は、説明の同一形状に第１リンク７１の第２先端７１ｂに形成することもできる。また、補助連結部材は図示するように第１リンク７１の第２先端７１ｂの付近に形成されるボス７５ａとボス７５ａに締結される締結部材７５ｂからなることもできる。
【０１２９】
図７に示すように締結部材７５ｂはボス７５ａに締結されながら第２リンクの第１先端７２ａと部分的に噛み合わせるか接触する。従って、第１先端７２ａは第２先端７１ｂから作動中、回転軸方向に分離されない。また、ガイド７４と同様にボス７５ａも第２先端７１ｂに代えて第２リンク７２の第１先端７２ａ付近に形成されるのが可能である。
【０１３０】
且つ、駆動手段７０は図６及び図７に示すように第１リンク７１及び第２リンク７２の連結部に形成されるストッパー７６を更に含むこともできる。
【０１３１】
第１及び第２リンクの連結部は第１リンク７１及び第２リンク７２の自由な回転を許容するので第１リンク７１及び第２リンク７２だけが相対的に回転し、吸入パネル５０はこれ以上回転されないこともある。かかる現象は回転中吸入パネル５０に少しでも外力が作用する場合更に発生する可能性が高い。従って、第１リンク７１の第２先端７１ｂにストッパー７４が突出成形されることによって図８Ｂに示すように第２リング７２は回転中にストッパー７４にかかり第２リンク７２の第１リンク７１に対する相対回転は制限される。より詳細にはストッパー７６は実質的に第１リンクと第２リンク７１、７２間の角度を１８０°未満で維持させる。結果的にかかるストッパー７６によって吸入パネル５０は安定的に回転できる。
【０１３２】
一般的に空調装置の内部には一定時間用いた後吸入された空気から塵などのような異物質が積もるのでユーザの健康のために空気フィルタ−４７のような内部部品などを掃除する必要がある。従って、容易な掃除のために吸入パネル５０はまたフロントパネル４０から脱着可能なものが望ましい。このために吸入パネル５０とフロントパネル４０の装着部は図２及び図３Ａ、図３Ｂ及び図５Ａに示すように、フロントパネルパネル５０の下部に形成されるヒンジバー４４ｂ及び吸入パネル５０の下端に突出形成されるヒンジリング５３を含む。ここで、ヒンジバー４４ｂはヒンジリング５３の円滑な回転のために所定大きさの溝４４ａ内に設置される。また、ヒンジリング５３はヒンジバー４４ｂから脱着可能に部分的に開放された形状５３ａを有する。かかる装着部の構造によって吸入パネル５０は図９Ａ及び図９Ｂに示すようにフロントパネル４０から容易に分離されて主吸入口４１ａ全体が露出される。従って、空気フィルタ−４７は容易に分離されて掃除できる。また、分離された吸入パネル５０は駆動手段、即ち、第１リンク７１及び第２リンク７２によってフロントパネル４０に吊されるので吸入パネル５０の再装着が容易になる。
【０１３３】
しかしながら、かかる空気フィルタ−４７の分離中高電圧によって作動される内部部品、特に空気フィルタ−４７と隣接した集塵機が露出されるのでユーザは感電されるおそれがある。ユーザの安全のために本発明において吸入パネル５０は吸入パネル５０が分離される時内部部品の電源を遮断する電源制御手段を更に含む。
【０１３４】
電源制御手段は図２及び図１０Ａ〜図１０Ｃに示すように吸入パネル５０の下端に形成される突起５４とフロントパネル４０内に所定の固定部材によって固定される電源スイッチ１００を含みて成される。ここで突起５４は吸入パネル５０がフロントパネル４０に装着されるとき、フロントパネル４０に形成される貫通孔４６に挿入されてフロントパネル４０の下部内部に至る。また、吸入パネル５０の下部面は曲面で形成される。また、スイッチ１００は内部部品などと電源の間に連結された一種のリレースイッチとして本体１１０及び本体１１０に連結され弾性を有する端子１２０を含む。より詳細には端子１２０の一端は本体１１０と連結され、他端は加圧される時本体１１０と接触する。
【０１３５】
本体１１０及び他端には各々電気的な接点１１１，１２１などが設置され、端子１２０の他端が本体１１０と接触する時、接点など１１１、１２１は相互連結される。また、スイッチ１００は貫通孔４６に隣接にフロントパネル４０の内部に形成されるフック４９ａ及びスイッチの後方に位置されるリーブ４９ｂなどによって安定的に固定される。フック４９ａはスイッチが挿入される席部を形成し、リーブ４９ｂは突起５４によって加圧されるスイッチ１００を押されないように支持する。
【０１３６】
このような電源制御手段において、吸入パネル５０が装着されるとき、突起５４は図１０Ａに示すように端子１２０を加圧になる。従って、端子１２０の他端が本体１１０と接触することによって接点など１１１、１２１が連結され、内部部品などに電源が供給される。また、図１０Ｂに示すように吸入パネル５０が回転する途中にも突起５４は継続的に端子１２０と接触するので電源の供給は継続される。なお、吸入パネル５０が分離される場合、突起５４も図１０Ｃに示すように、貫通孔４６から分離され端子１２０は解除される。従って、端子１２０は支持の弾性によって復元されて接点１１１、１２１などを分離させ内部部品などに対する電源供給が遮断される。
【０１３７】
なお、説明の通り吐き出し口１４は外観の向上及び室内機の直下領域の冷房のために室内機の底面に形成されるが、かかる吐き出し口１４は冷気を室内全体に均一に吐き出すには適していない。本発明でより均一な冷房のために室内機はメインシャーシ１００の内部に挿入するか又は外部に引き出されながら熱交換された空気を室内に吐き出す吐き出し手段８０，９０を更に含む。
【０１３８】
まず、吐き出し手段の第１実施形態において、吐き出し手段８０は図１１Ａに示すように吐き出し口１４に沿って上下に入出駆動しながら吐き出し口１４を選択的に開閉する。このためにメインシャーシ１０の内部に吐き出し口１４に沿って乗降運動する吐き出し口ハウジング８１が設置される。吐き出しハウジング８１は降下程度によってその一部が吐き出し口１４を通って外部に引き出される。また、吐き出しハウジング８１には熱交換された空気が吸入される補助吸入口８１ａと室内に通ずる補助吐き出し口８１ｂが形成される。
【０１３９】
吐き出しハウジング８１は左右幅が前後幅より長い矩形に、上部面に補助吸入口８１ａが形成され、正面下部に補助吐き出し口８１ｂが形成される。従って、吐き出しハウジング８１が上昇してメインシャーシ８１の内部に完全に挿入されると吐き出し口１４は吐き出しハウジング８１によって閉鎖され、吐き出しハウジング８１がある程度降下して補助吐き出し口８１ｂが外部に引き出されると吐き出し口１４は開放される。
【０１４０】
ここで、吐き出しハウジング８１の内部に空気の吐き出し方向を調節する部材が設置されるのが望ましい。このために吐き出しハウジング８１の内部に空気の吐き出し方向を上下で調節するベーン８３と空気の吐き出し方向を左右に調節するルーバー８４が設置される。また、補助吸入吸入口８１ａに空気の流動を円滑に誘導する補助吸入グリル８２が更に設置されるのが望ましい。
【０１４１】
なお、吐き出しハウジング８１はユーザによって直接乗降運動できるが空調装置の運転可否によって自動で乗降運動するのが望ましい。このために吐き出しハウジング８１を自動で乗降させる駆動手段が更に設置される。
【０１４２】
駆動手段は電源を印加されて回転力を生成するモータ８５と、モータ８５の駆動軸に連結されるピニオン８６と、吐き出しハウジング８１の後方壁に上下方向に設置されピニオン８６と噛み合わせるラック（ｒａｃｋ）８７から構成される。ここで、駆動手段は吐き出しハウジング８１の後方に設置されるものと図示されているが、吐き出しハウジング８１の側面に設置されるのが望ましい。
【０１４３】
吐き出しハウジング８１がメインシャーシ１０から完全に分離されることを防止するために吐き出しハウジング８１の前方壁にストッパー８８が設置される。吐き出しハウジング８１がある程度降下すると、ストッパー８８はメインシャーシ１０の底面に掛かることになり、この状態で吐き出しハウジング８１はこれ以上降下することができなくなる。
【０１４４】
また、吐き出し手段の第２実施形態９０は図１２Ａに示すように吐き出し口１４内で回動しながら吐き出し口１４２を選択的に開閉する。このために吐き出し口１４の付近に回転中心を有して、吐き出し口１１５を通って外部に引出可能に回動する吐き出しハウジング９１がメインシャーシ１０の底面に設置される。この吐き出しハウジング９１には熱交換された空気が吸入される補助吸入口９１ａと、室内と通じる補助吐き出し口９１ｂが形成される。
【０１４５】
吐き出しハウジング９１は扇子状の断面を有し、上部面に補助吸入口９１ａが形成され、下部円周面に補助吐き出し口９１ｂが形成される。
【０１４６】
ここで、吐き出しハウジング９１の回転軸９６は扇子状の断面の頂点近くに設置される。この場合、吐き出しハウジング９１が回転軸９６を中心に時計方向に回転してメインシャーシ１０の内部に完全に挿入されると吐き出し口１４は吐き出しハウジング９１によって閉鎖される。反対に吐き出しハウジング９１が反時計方向に回転して補助吐き出し口９１ｂが外部に引き出されると吐き出し口１４は開放される。即ち、メインシャーシ１０の内部空間は補助吸入口９１ａと補助吐き出し口９１ｂを通って室内に通じることになる。
【０１４７】
吐き出しハウジング９１の内部には熱交換された空気の吐き出し方向を上下に調節するベーン９３と左右に調節するルーバーが設置される。また、補助吸入口９１ａに空気の流動を円滑に誘導する補助吸入グリル９２が更に設置される。
【０１４８】
また、吐き出しハウジング９１の上部円周面に吐き出しハウジング９１の回転角度を制限するストッパー９７が設置される。従って、吐き出しハウジング９１がある程度回転すると、ストッパー９７がメインシャーシ１０の下部面にかかることになり、該状態で吐き出しハウジング９１はこれ以上回転することができない。
【０１４９】
なお、吐き出しハウジング９１や空調装置の運転可否によって自動で回動するのが望ましい。このために吐き出し手段９０には吐き出しハウジング９１を自動で回転させる駆動手段が更に設置される。駆動手段は電源を印加されて回転力を生成するモータ９５として、駆動軸が吐き出しハウジング９１の回転軸９６に直接連結される。
【０１５０】
本発明による空調装置の作用は関連図面を参照して説明する。
【０１５１】
まず、空調装置の運転が始まると図８Ａ及び図８Ｂに示すようにまず、モータ７３によって第１リンク７１が室内機前方に向かって回転し始め、第２リンク７２も第１リンク７１に沿って回転する。
【０１５２】
かかる第１リンク７１及び第２リンク７２の回転中、第１リンク７１にストッパー７６が形成される場合、ストッパー７６は図８Ｂに示すように第２リンク７２にかかって第２リンク７２は第１リンク７１に拘束される。従って、第１リンク７１及び第２リンク７２はこれら同士の相対回転することなく第２リンク７２を吸入パネル５０方向に押すことで、吸入パネル５０の安定的な回転が保障される。また、吸入パネル５０の回転のために補助連結部材７４，７５などは第１リンク７１及び第２リンク７２の連結状態を維持させる。このような駆動手段７１〜７６の作用によって吸入パネル６２は図３Ｂ及び図４Ｂに示すようにこの下端部を中心に継続的に回転されフロントパネル４０に対して所定角度傾斜に配置されてフロントパネル４０の主吸入口４１ａを開放させる。
【０１５３】
この同時に吐き出し手段の第１実施形態８０において、モータ８５に電源が印加されて吐き出しハウジング８１はピニオン８６とラック８７の相互作用によって降下する。この状態では図１１Ｂに示す通りである。従って、吐き出しハウジング８１の降下によって吐き出し口１４が開放される。即ち、メインシャーシ１０の内部空間は補助吸入口８１ａと補助吐き出し口８１ｂを通って室内に通ずることになる。
【０１５４】
また、吐き出し手段の第２実施形態９０において、吸入パネル５０の回転と同時にモータ９５に電源が印加されて吐き出しハウジング９１が回転することになる。この状態では図１２Ｂに示すようで、かかる吐き出しハウジング９１の回転によって吐き出し口１４が開放される。
【０１５５】
このように主吸入口４１ａと吐き出し口１４が開放されると、ファンモータ３１によって送風ファン３０が回転することになり、室内空気は主吸入口４１ａと補助吸入口４１ｂを通って室内機の内部に吸入される。かかる吸入過程のうち吸入パネル５０は主吸入口４１ａを全体的に開放させるために吸入パネル５０は従来の吐き出しグリルに比べて更に多量の空気を吸入することができる。
【０１５６】
また、吸入パネル５０の傾斜角を調節することで吸入パネル５０とフロントパネルとの間の間隔が調節される。従って、かかる間隔調節によって空気吸入量のみでなく空気吐き出し量も調節される。このように吸入された空気はエアフィルタ−４７を経ることによって嵩の高い異物質が除去され、集塵機４５を経て塵などの異物質がイオン化されて捕集される。続いて空気は熱交換機２０の周辺を経て冷媒との熱交換により冷却され、吐き出し口１４側に移動される。
【０１５７】
続いて冷却された空気は図１１Ａ及び図１２Ａに示すように補助吸入口８１ａ、８１ｂを通って吐き出しハウジング８１、９１の内部に流動される。以後冷却された空気はベーン８３，９３とルーバー８４，９４の案内を受けながら補助吐き出し口８１ｂ、９１ｂを通って室内に吐き出される。かかる吐き出し過程のうち、吸入パネル５０が主吸入口４１ａ及び補助吐き出し口８１ｂ，９１ｂの間に斜めに位置されてこれらの間の空間を分割する隔壁で作用する。従って、吸入及び吐き出し流動間の干渉が排除されて吐き出される空気が主吸入口４１ａに再吸入されることなない。また、吐き出しハウジング８１、９１がメインシャーシ１０から下に引き出されることによって冷却された空気は室内機の直下領域だけでなく室内全体に均一に吐き出される。
【０１５８】
一定時間の作動後空調装置が停止されると、まずファンモータ３１／送風ファン３１及び熱交換機２０の作動が停止される。以後吸入パネル５０及び吐き出しハウジング８１、９１は説明と反対の順に作動して、図３Ａ及び図４Ａに示すように主吸入口４１ａ及び吐き出し口１４が閉鎖される。
【０１５９】
なお、図９Ａ及び図９Ｂに示すようにユーザが吸入パネル５０を少し回転させた後上側方向に持ち上げて吸入パネル５０下端のヒンジリング５３は該開放された部分５３ａによってヒンジバー４４ｂから分離される。このように吸入パネル５０はフロントパネル５０から容易に分離される。
【０１６０】
また、吸入パネル５０を離すと、吸入パネル５０は第１リンク７１及び第２リンク７２によって吊している状態でフロントパネル５６の下部に位置され主吸入口４１ａは完全に開放される。かかる主吸入口４１ａの開放時第２リンク７１はストッパー７６によってかかって第１リンク７１に対して１８０°以上回転されない。
【０１６１】
従って、吸入パネル５０は図示するようにフロントパネル４０の下部に対して所定間隔離隔されて吊されるので着脱時吸入パネル５０はフロントパネル４０の下部に接触による損傷を与えない。また、吸入パネル５０の分離と同時に図１０Ｃに示すように、突起５４また貫通孔４６から離脱されてスイッチ１００の接点など１１１，１２１が分離される。従って、内部部品などに対する電源供給が中断されるのでユーザは感電から保護される。
【０１６２】
このように吸入パネル５０を分離することでユーザは完全に開放された主吸入口４１ａを通って空気フィルタ−４７及び集塵機４５のような内部部品を便利に掃除及び交換のために着脱できる。また、分離された吸入パネル５０が室内機に吊されているので内部部品４５，４７の装着後ユーザはすぐ吸入パネル５０を便利に装着できる。
【０１６３】
【発明の効果】
以上説明したように、本発明によると、次のような効果がある。
【０１６４】
先ずは、従来の吐き出しグリルに代えて薄い平板型の吸入パネルが用いることによって室内機をコンパクト化でき、美麗な外観が実現される。また、吸入パネルは作動停止時吸入口を閉鎖することで異物質の室内機への流入を防ぐことができる。
【０１６５】
また、吸入パネルが作動中フロントパネルに対して傾斜になっているのでユーザに吸入口を露出させず室内機の外観が向上される。また、傾斜になったフロントパネルによって吸入流動及び吐き出し流動間の干渉が排除されて熱交換効率が向上される。ひいては吸入パネルの傾斜角を調節することで吸入空気量及び吐き出し空気量又は調節できる。
【０１６６】
吸入パネルはまた脱着可能するので空気フィルタ−及び集塵機などの内部部品の管理が容易になる。また、吸入パネルは脱着時、室内機に吊されるのでユーザは便利に吸入パネルが再装着できる。
【０１６７】
なお、本発明は室内機の底面から引出可能な吐き出し手段を備えることによって室内機の直下領域のみならず室内全体に均一に冷気を吐き出すことができる。
【０１６８】
以上本発明の好適な一実施形態に対して説明したが、実施形態のものに
限定されるわけではなく、本発明の技術思想に基づいて種々の変形又は変更が可能である。
【図面の簡単な説明】
【図１】一般的な空調装置の室内機を示す斜視図である。
【図２】本発明による空調装置の室内機を示す分解斜視図である。
【図３Ａ】本発明による空調装置の室内機の側断面図である。
【図３Ｂ】本発明による空調装置の室内機の側断面図である。
【図４Ａ】本発明による空調装置の室内機の斜視図である。
【図４Ｂ】本発明による空調装置の室内機の斜視図である。
【図５Ａ】本発明による空調装置の室内機におけるメインシャーシの変形例を示す側断面図及び斜視図である。
【図５Ｂ】本発明による空調装置の室内機におけるメインシャーシの変形例を示す側断面図及び斜視図である。
【図６】本発明による空調装置の吸入パネル駆動手段を示す分解斜視図である。
【図７】図６のＡ方向から見た組み立てられた駆動手段を示す正面図である。
【図８Ａ】本発明による空調装置に装着された吸入パネルの駆動手段を示す部分断面斜視図である。
【図８Ｂ】本発明による空調装置に装着された吸入パネルの駆動手段を示す部分断面斜視図である。
【図９Ａ】吸入パネルが脱着された本発明の空調装置を示す部分断面斜視図及び斜視図である。
【図９Ｂ】吸入パネルが脱着された本発明の空調装置を示す部分断面斜視図及び斜視図である。
【図１０Ａ】本発明による空調装置の電源制御手段を示す部分断面図である。
【図１０Ｂ】本発明による空調装置の電源制御手段を示す部分断面図である。
【図１０Ｃ】本発明による空調装置の電源制御手段を示す部分断面図である。
【図１１Ａ】本発明による空調装置の吐き出し手段の第１実施形態を示す側断面図及び斜視図である。
【図１１Ｂ】本発明による空調装置の吐き出し手段の第１実施形態を示す側断面図及び斜視図である。
【図１２Ａ】本発明による空調装置の吐き出し手段の第２実施形態を示す側断面図及び斜視図である。
【図１２Ｂ】本発明による空調装置の吐き出し手段の第２実施形態を示す側断面図及び斜視図である。
【符号の説明】
１０  メインシャーシ
１４  吐き出し口
２０  熱交換機
３０  送風ファン
４０  フロントパネル
４１ａ  主吸入口
４１ｂ  補助吸入口
４３  開口部
４８  隔壁
５０  吸入パネル
５１  メインプレート
５２  補助プレート
５３  ヒンジリング
６０  吐き出しアセンブリー
７０  駆動手段
７１  第１リンク
７２  第２リンク
７３  モータ
７４  ガイド
７５ａ  ボス
７５ｂ  締結部材
８０、９０  吐き出し手段
８１，９１  吐き出しハウジング
８３、９３  ベーン（ｖａｎｅ）
８４、９４  ルーバー
【図１】
0003735592.tif 000002
【図２】
0003735592.tif 000003
【図３Ａ】
0003735592.tif 000004
【図３Ｂ】
0003735592.tif 000005
【図４Ａ】
0003735592.tif 000006
【図４Ｂ】
0003735592.tif 000007
【図５Ａ】
0003735592.tif 000008
【図５Ｂ】
0003735592.tif 000009
【図６】
0003735592.tif 000010
【図７】
0003735592.tif 000011
【図８Ａ】
0003735592.tif 000012
【図８Ｂ】
0003735592.tif 000013
【図９Ａ】
0003735592.tif 000014
【図９Ｂ】
0003735592.tif 000015
【図１０Ａ】
0003735592.tif 000016
【図１０Ｂ】
0003735592.tif 000017
【図１０Ｃ】
0003735592.tif 000018
【図１１Ａ】
0003735592.tif 000019
【図１１Ｂ】
0003735592.tif 000020
【図１２Ａ】
0003735592.tif 000021
【図１２Ｂ】
0003735592.tif 000022